(57)【要約】【課題】電線の曲げ角度が大きくなってもプロテクタの端部近傍で電線に小曲率半径の急な曲げが発生するのを防止できるプロテクタ付きのワイヤハーネスを提供する。【解決手段】外被付き電線１２と、これを挿通させる挿通孔が形成された筒状のプロテクタ２０とを備えたワイヤハーネスであって、プロテクタ２０の開口端部が、分割壁部２６ｆと、分割壁部２６ｆを主筒状部２５に対し回動変位可能に結合する薄肉結合部２７ｆとを含んで構成されており、電線１２が屈曲されて分割壁部２６ｆが放射外方側に回動変位するとき、これに対応する薄肉結合部２７ｆがその方向に湾曲するとともに開口端側に凸形状をなし、分割壁部２６ｆの回動角度が所定角度θ２を超えるとき、薄肉結合部２７ｆの近傍に、電線の曲げ内側面に複数箇所Ｐ１、Ｐ２で当接可能な湾曲ガイド部２８が形成される。【選択図】図４
2017077083.tif 000002
【特許請求の範囲】
【請求項１】
電線と、該電線を挿通させる挿通孔が形成された筒状のプロテクタと、を備えたワイヤハーネスであって、
前記挿通孔を開口させる前記プロテクタの開口端側の筒状壁部が、それぞれ前記プロテクタの本体部に対し前記開口端側に配置されつつ前記プロテクタの周方向に隣り合う複数の分割壁部と、前記筒状壁部の放射外方側の所定角度範囲内で前記プロテクタの本体部に対し前記複数の分割壁部をそれぞれ回動変位可能に結合するとともに、前記複数の分割壁部および前記本体部に対して内外両面側で溝状の凹面形状をなす薄肉結合部と、を含んで構成されており、前記電線が前記プロテクタに対し屈曲されて前記複数の分割壁部のうちいずれかの分割壁部が前記筒状壁部の放射外方側に回動変位するとき、該いずれかの分割壁部に対応する前記薄肉結合部が該回動方向に湾曲するとともに前記開口端側に凸形状をなし、前記いずれかの分割壁部が前記筒状壁部の放射外方側に回動変位する角度が所定角度を超えるとき、前記いずれかの分割壁部および前記本体部を連結する前記薄肉結合部の近傍に、前記電線の前記曲げ内側面に複数箇所で当接可能な湾曲ガイド部が形成されることを特徴とすることを特徴とするワイヤハーネス。
【請求項２】
前記薄肉結合部が前記複数の分割壁部および前記本体部に対して前記溝状の凹面形状をなす前記内外両面側の凹部の深さが、前記プロテクタの内面側と外面側とのうちいずれか一方側で大きく、前記プロテクタの前記内面側と前記外面側とのうちいずれか他方側で小さくなっていることを特徴とする請求項１に記載のワイヤハーネス。
【請求項３】
前記複数の分割壁部が、前記放射外方側への回動変位を規制するよう前記開口端側で相互に結合可能な結合部分を有していることを特徴とする請求項１または請求項２に記載のワイヤハーネス。
【請求項４】
前記複数の分割壁部のうち対向する一対の分割壁部が、前記放射外方側への回動変位を規制するよう相互に結合可能な結合部分を有しており、該結合部分により前記一対の分割壁部が相互に結合されたとき、前記一対の分割壁部以外の他の分割壁部の前記放射外方側への回動変位が前記一対の分割壁部の前記結合部分によって規制されることを特徴とする請求項３に記載のワイヤハーネス。
【発明の詳細な説明】
【技術分野】
【０００１】
本発明は、ワイヤハーネスに関し、特にプロテクタ付きのワイヤハーネスに関する。
【背景技術】
【０００２】
自動車等の車両の開閉部その他の可動部に配索されるワイヤハーネスにおいては、プロテクタに通した被覆電線に対し、プロテクタ端部側で繰返し曲げが加えられる場合がある。その場合、繰返し曲げに対し、電線を保護する被覆の摩耗や傷を抑える必要がある。
【０００３】
そこで、従来、プロテクタの樋状部に連設した干渉吸収部に樋状部の内側面から外向きに拡開しつつ緩く湾曲するガイド面を形成し、硬質被覆電線の振動時や屈曲時に絶縁被覆が干渉吸収部のガイド面に接触するようにしたものがある（例えば、特許文献１参照）。
【０００４】
また、車両のボディにワイヤハーネスを固定するハーネス固定具に、硬質被覆電線の絶縁被覆が接触するガイド面を形成したものも知られている（例えば、特許文献２参照）。
【先行技術文献】
【特許文献】
【０００５】
【特許文献１】特開２００７−１７４８５２号公報
【特許文献２】特開２００３−２８９６１８号公報
【発明の概要】
【発明が解決しようとする課題】
【０００６】
しかし、上記従来のワイヤハーネスにあっては、電線に曲げ角度の大きな曲げが加わると、干渉吸収部のガイド面の略全長に接触した被覆電線が、干渉吸収部の端縁部にて小曲率半径で折れ曲がってしまうという問題があった。例えば、ワイヤハーネスの輸送時や組付け前の段取り段階等において、プロテクタ付きのワイヤハーネスが硬質のケースに入れて運ばれたり出し入れされたりするとき、電線がプロテクタの端部近傍で大きく曲げられる場合があった。
【０００７】
また、電線の曲げ角度が大きくなっても干渉吸収部のガイド面の端縁部で電線が折れ曲がらないようにするためには、干渉吸収部付きのプロテクタのサイズを電線の長さ方向および径方向のそれぞれで増加させる必要があり、プロテクタの小型化や扁平化が困難になってしまうという問題があった。
【０００８】
本発明は、このような従来の未解決の課題を解消すべくなされたものであり、プロテクタに対する電線の曲げ角度が大きくなってもプロテクタの端部近傍で電線に小曲率半径の急な曲げが発生するのを確実に防止できるプロテクタ付きのワイヤハーネスを提供することを目的とする。
【課題を解決するための手段】
【０００９】
本発明に係るワイヤハーネスは、上記目的達成のため、電線と、該電線を挿通させる挿通孔が形成された筒状のプロテクタと、を備えたワイヤハーネスであって、前記挿通孔を開口させる前記プロテクタの開口端側の筒状壁部が、それぞれ前記プロテクタの本体部に対し前記開口端側に配置されつつ前記プロテクタの周方向に隣り合う複数の分割壁部と、前記筒状壁部の放射外方側の所定角度範囲内で前記プロテクタの本体部に対し前記複数の分割壁部をそれぞれ回動変位可能に結合するとともに、前記複数の分割壁部および前記本体部に対して内外両面側で溝状の凹面形状をなす薄肉結合部と、を含んで構成されており、前記電線が前記プロテクタに対し屈曲されて前記複数の分割壁部のうちいずれかの分割壁部が前記筒状壁部の放射外方側に回動変位するとき、該いずれかの分割壁部に対応する前記薄肉結合部が該回動方向に湾曲するとともに前記開口端側に凸形状をなし、前記いずれかの分割壁部が前記筒状壁部の放射外方側に回動変位する角度が所定角度を超えるとき、前記いずれかの分割壁部および前記本体部を連結する前記薄肉結合部の近傍に、前記電線の曲げ内側面に複数箇所で当接可能な湾曲ガイド部が形成されることを特徴とする。
【００１０】
したがって、本発明では、プロテクタに挿通した電線に曲げ角度の大きな曲げが加えられたとしても、プロテクタの開口端側の薄肉結合部の近傍に電線の曲げ内側面に複数箇所で当接可能な湾曲ガイド部が形成されることにより、電線の曲げ内側面が一箇所の角部で小曲率半径に折れ曲がってしまうことが確実に防止される。また、そのような湾曲ガイド部を形成しながらも、プロテクタが電線長さ方向および電線径方向のそれぞれでサイズの大きいものとなることがなく、プロテクタの小型化や扁平化が困難になることもない。したがって、電線の曲げ角度が大きくなってもプロテクタの端部近傍で小曲率半径の急な曲げが発生しないようにできるプロテクタ付きのワイヤハーネスとなる。
【００１１】
本発明のワイヤハーネスは、前記薄肉結合部が前記複数の分割壁部および前記本体部に対して前記溝状の凹面形状をなす前記内外両面側の凹部の深さが、前記プロテクタの内面側と外面側とのうちいずれか一方側で大きく、前記プロテクタの前記内面側と前記外面側とのうちいずれか他方側で小さくなっている構成とすることができる。
【００１２】
また、前記複数の分割壁部が、前記放射外方側への回動変位を規制するよう前記開口端側で相互に結合可能な結合部分を有している構成とすることができる。
【００１３】
さらに、前記複数の分割壁部のうち対向する一対の分割壁部が、前記放射外方側への回動変位を規制するよう相互に結合可能な結合部分を有しており、該結合部分により前記一対の分割壁部が相互に結合されたとき、前記一対の分割壁部以外の他の分割壁部の前記放射外方側への回動変位が前記一対の分割壁部の前記結合部分によって規制されてもよい。
【発明の効果】
【００１４】
本発明によれば、プロテクタに対する電線の曲げ角度が大きくなっても、プロテクタの端部近傍で電線に小曲率半径の急な曲げが発生するのを確実に防止できるプロテクタ付きのワイヤハーネスを提供することができる。
【図面の簡単な説明】
【００１５】
【図１】本発明の第１の実施の形態に係るプロテクタ付きのワイヤハーネスの要部外観斜視図である。
【図２】（ａ）は、本発明の第１の実施の形態に係るワイヤハーネスに装着されるプロテクタの要部分解斜視図であり、（ｂ）は、そのプロテクタの要部斜視図である。
【図３】（ａ）は、本発明の第１の実施の形態に係るワイヤハーネスに装着されるプロテクタの複数の分割壁部のうちいずれかの分割壁部とプロテクタ本体部との間の薄肉結合部の近傍の部分拡大断面図であり（ｂ）は、そのいずれかの分割壁部が筒状壁部の放射外方側に第１の曲げ角度だけ回動変位したときの薄肉結合部の近傍の部分拡大断面図である。
【図４】（ａ）は、本発明の第１の実施の形態に係るワイヤハーネスに装着されるプロテクタのいずれかの分割壁部が筒状壁部の放射外方側に第１の曲げ角度より大きい第２の曲げ角度だけ回動変位したときの薄肉結合部の近傍の部分拡大断面図であり、（ｂ）は、そのいずれかの分割壁部が筒状壁部の放射外方側に第２の曲げ角度より大きい第３の曲げ角度だけ回動変位したときの薄肉結合部の近傍の部分拡大断面図である。
【図５】本発明の第１の実施の形態に係るワイヤハーネスに装着されるプロテクタの輸送時における開口端部の状態例を示す斜視図である。
【図６】（ａ）は、本発明の第２の実施の形態に係るワイヤハーネスに装着されるプロテクタの複数の分割壁部のうちいずれかの分割壁部とプロテクタ本体部との間の薄肉結合部の近傍の部分拡大断面図であり（ｂ）は、そのいずれかの分割壁部が筒状壁部の放射外方側に第１の曲げ角度だけ回動変位したときの薄肉結合部の近傍の部分拡大断面図である。
【図７】（ａ）は、本発明の第２の実施の形態に係るワイヤハーネスに装着されるプロテクタのいずれかの分割壁部が筒状壁部の放射外方側に第１の曲げ角度より大きい第２の曲げ角度だけ回動変位したときの薄肉結合部の近傍の部分拡大断面図であり、（ｂ）は、そのいずれかの分割壁部が筒状壁部の放射外方側に第２の曲げ角度より大きい第３の曲げ角度だけ回動変位したときの薄肉結合部の近傍の部分拡大断面図である。
【図８】本発明の第３の実施の形態に係るワイヤハーネスに装着されるプロテクタの要部分解斜視図である。
【発明を実施するための形態】
【００１６】
以下、本発明を実施するための形態について図面を参照して説明する。
【００１７】
（第１の実施の形態）
第１の実施の形態のワイヤハーネスは、自動車用のプロテクタ付きのワイヤハーネスとして構成されている。
【００１８】
図１に示すように、本実施形態のワイヤハーネス１は、例えばそれぞれ絶縁被覆された複数本のコア電線１１を含む外被付き電線１２の端部にコネクタ１３を装着するとともに、外被付き電線１２を取り囲むようにプロテクタ２０を取り付けたものである。
【００１９】
すなわち、外装チューブ１５が外装されたワイヤハーネス１の特定の長さ区間を略角形筒状のプロテクタ２０内に収納し、そのワイヤハーネス１の特定の長さ区間をプロテクタ２０によって保護するようになっている。
【００２０】
ワイヤハーネス１は、複数のコア電線１１にそれぞれ図示しない複数の接続端子を装着して、それらコア電線１１をコネクタ１３（コネクタハウジング）の端子挿入孔内にそれぞれ挿入し、ユニット化したものである。このワイヤハーネス１は、車両に搭載される電装機器を電源や制御機器等に接続できるように構成されている。
【００２１】
複数のコア電線１１は、それぞれの詳細構造を図示しないが、線状の導体と、その導体を囲む筒状の被覆とを有している。導体は、例えば複数本の軟銅線である素線を撚り合わせた円形より線で構成されている。勿論、より線でなく単線の芯線としてもよいし、複数の導体線を圧縮により一体化してもよい。被覆は、例えばポリ塩化ビニルまたはポリエチレン等を主体とする樹脂（合成樹脂）製の円筒形の絶縁材で構成されている。
【００２２】
外被付き電線１２には、外被としての外装チューブ１５が装着されている。
【００２３】
外装チューブ１５は、例えば塩化ビニル樹脂からなるシース、あるいは、ポリプロピレンやナイロン樹脂等の絶縁性の樹脂からなる可撓性の蛇腹管であり、外被付き電線１２をその外装区間の全域で所定の離間距離内に経路規制できるようになっている。
【００２４】
外被付き電線１２におけるコア電線１１の本数や各コア電線１１の種類は任意であり、コネクタ１３の個数も任意である。
【００２５】
外被付き電線１２は、また、複数のコア電線１１が外装チューブ１５内に遊挿されたものであってもよいし、一本のチューブドワイヤ電線や１本のシールド線であってもよい。ただし、外装チューブ１５の可撓性や弾性により、チューブ付きの外被付き電線１２を有するワイヤハーネス１は、曲げや捩りが可能になっている。
【００２６】
図２（ａ）および図２（ｂ）に示すように、プロテクタ２０は、外被付き電線１２の収納が可能な凹部２１を形成するプロテクタ本体部２２と、凹部２１の開口側（図２（ａ）中の上方側）に開閉可能に配置された蓋部２３とを備えている。
【００２７】
このプロテクタ２０は、図２（ｂ）に示すように、プロテクタ本体部２２および蓋部２３により、全体として略正方形または長方形の横断面形状となる角筒状の主筒状部２５を構成している。プロテクタ本体部２２および蓋部２３を相互に結合する構造は任意であるが、例えばロック式の結合が採用できる。勿論、プロテクタ本体部２２および蓋部２３を一体に成形して主筒状部２５を単一部品としたり、プロテクタ本体部２２および蓋部２３を対向する一対の樋状部品としたりしてもよいことはいうまでもない。
【００２８】
プロテクタ本体部２２は、全体として溝状の凹部２１を形成する所定長さの樹脂（合成樹脂）製のものであり、その横断面が略Ｕ字形状の凹形状をなすように形成されている。ここにいう樹脂は、例えばポリプロピレンまたはポリアミド樹脂である。
【００２９】
蓋部２３によりプロテクタ本体部２２の凹部２１の開放端が閉止されることで、プロテクタ２０には、凹部２１に対応する電線挿通孔２４（挿通孔）が形成されるとともに、電線挿通孔２４の一端が開口する一方の開口端部２６と、電線挿通孔２４の図外の他端が開口する他方の開口端部が形成されている。
【００３０】
図２（ａ）および図２（ｂ）に示すように、プロテクタ本体部２２は、左右の側壁２２ａ、２２ｂを本体底壁部２２ｅと同一平面上に展開可能な形状に成形した後、本体底壁部２２ｅに対し直交する向きに折り曲げて略Ｕ字形状の横断面形状としている。ただし、左右の側壁２２ａ、２２ｂと本体底壁部２２ｅとが本体底壁部２２ｅの両側端部近傍で互いに凹凸係合する別体部品で構成されてもよい。
【００３１】
また、蓋部２３は、プロテクタ本体部２２の左右の側壁２２ａ、２２ｂによって閉蓋状態に支持され得る所定長さの樹脂製の板状体であり、略Ｕ字形状のプロテクタ本体部２２と略同一幅である。
【００３２】
以下、一方の開口端部２６を有するプロテクタ２０の一端側の構成について詳述し、これと同一または類似する構成を有する他端側については説明を省略する。
【００３３】
プロテクタ２０の一方の開口端部２６は、主筒状部２５の一端側に連設されており、軸長がプロテクタ２０の径程度かそれ以下に短い角筒状の短軸壁部（開口端側の筒状壁部）となっている。
【００３４】
この一方の開口端部２６は、プロテクタ２０の周方向に隣り合う複数の分割壁部２６ａ、２６ｂ、２６ｅ、２６ｆと、プロテクタ２０の本体部である主筒状部２５の一端側に複数の分割壁部２６ａ、２６ｂ、２６ｅ、２６ｆを結合する複数の薄肉結合部２７ａ、２７ｂ、２７ｅ、２７ｆと、を含んで構成されている。
【００３５】
複数の薄肉結合部２７ａ、２７ｂ、２７ｅ、２７ｆは、主筒状部２５を構成するプロテクタ本体部２２および蓋部２３の主要部２２Ｍ、２３Ｍに対して内外両面側で溝状の凹面形状をなしており、主筒状部２５の軸方向でプロテクタ本体部２２および蓋部２３の主要部２２Ｍ、２３Ｍより開口端側に配置されている。
【００３６】
複数の分割壁部２６ａ、２６ｂ、２６ｅ、２６ｆは、対応するそれぞれの薄肉結合部２７ａ、２７ｂ、２７ｅ、２７ｆを介して主筒状部２５の一端側に結合されることで、主筒状部２５の放射外方側の所定角度範囲内でそれぞれ主筒状部２５に対して回動変位可能になっている。
【００３７】
具体的には、図３（ａ）に示すように、蓋部２３の一端側に位置する分割壁部２６ｆは、対応する薄肉結合部２７ｆを介して蓋部２３の主要部２３Ｍに対して同図中の上下方向に回動変位（角度変位）可能に結合されている。同様に、各分割壁部２６ａ、２６ｂ、２６ｅは、対応する薄肉結合部２７ａ、２７ｂ、２７ｅを介し、プロテクタ本体部２２の主要部２２Ｍに対して主筒状部２５の径方向の内外に回動変位可能に結合されている。
【００３８】
そして、外被付き電線１２がプロテクタ２０に対し屈曲されて複数の分割壁部２６ａ、２６ｂ、２６ｅ、２６ｆのうちいずれかの分割壁部、例えば分割壁部２６ｆが主筒状部２５の放射外方側に回動変位するとき、分割壁部２６ｆに対応する薄肉結合部２７ｆがその分割壁部２６ｆの回動方向に湾曲するとともに開口端側に徐々に凸形状をなすようになっている。そして、その分割壁部２６ｆが主筒状部２５の放射外方側に回動変位する角度が所定角度、例えば図３（ｂ）中の第１の曲げ角度θ１より大きい図４（ａ）中の第２の曲げ角度θ２を超えるとき、その分割壁部２６ｆに対応する薄肉結合部２７ｆの近傍に、外被付き電線１２の曲げ内側面１２ｓに複数箇所で当接可能な湾曲ガイド部２８が形成されるようになっている。
【００３９】
この湾曲ガイド部２８は、一方の開口端部２６から突出する外被付き電線１２に主筒状部２５の放射外方側への曲げ方向に外力が加わり、その外被付き電線１２の曲げ角度が増加するとき、外被付き電線１２の曲げの支点となるその曲げ内側面１２ｓの当接点を、順次増加させるか突出端側（コネクタ１３側）に移動させるように構成されている。また、湾曲ガイド部２８は、外被付き電線１２の曲げ内側面１２ｓの曲率半径Ｒｗを主筒状部２５の壁厚Ｔ１に等しい半径Ｒ１より大きい値に保持するとともに、外被付き電線１２の突出端に最も近い当接箇所Ｐ１、Ｐ２またはＰ３より先端側における外被付き電線１２の曲げ角度を低減させる機能を発揮するようになっている。
【００４０】
具体的には、例えば外被付き電線１２に主筒状部２５の放射外方側への曲げ方向に外力が加わり、外被付き電線１２の曲げ角度が増加するとき、外被付き電線１２の曲げの支点となるその曲げ内側面１２ｓとの当接箇所は、図３（ｂ）に示す第１の曲げ角度θ１では外被付き電線１２の曲率半径は十分に大きく、第１の当接箇所Ｐ１のみとなる。
【００４１】
外被付き電線１２の曲げ角度が図４（ａ）に示す第２の曲げ角度θ２、例えば９０度程度に達するときには、外被付き電線１２の曲率半径がまだ大きければ、外被付き電線１２の曲げの支点となる当接箇所は、第１の当接箇所Ｐ１から第２の当接箇所Ｐ２に移動し、外被付き電線１２の曲率半径が小さくなってくれば、第１の当接箇所Ｐ１および第２の当接箇所Ｐ２に増加する。このとき、第１の当接箇所Ｐ１および第２の当接箇所Ｐ２の間における外被付き電線１２の曲率半径Ｒｗは、主筒状部２５の壁厚Ｔ１に等しい半径Ｒ１より大きい値に保持される。また、外被付き電線１２の突出端に最も近い当接箇所Ｐ２より先端側における外被付き電線１２の曲げ角度は、当接箇所Ｐ１を曲げの支点とする場合よりも低減される。
【００４２】
外被付き電線１２の曲げ角度が第２の曲げ角度θ２より大きい第３の曲げ角度θ３、例えば図４（ｂ）に示すように１８０度に近い角度に達するとき、外被付き電線１２の曲率半径がまだ大きければ、外被付き電線１２の曲げの支点となる当接箇所は、第２の当接箇所Ｐ２から第３の当接箇所Ｐ３に移動し、外被付き電線１２の曲率半径が小さくなってくれば、第の当接箇所Ｐ１、第２の当接箇所Ｐ２および第３の当接箇所Ｐ３に増加する。このとき、第１の当接箇所Ｐ１から第３の当接箇所Ｐ３までの間における外被付き電線１２の曲率半径Ｒｗは、主筒状部２５の壁厚Ｔ１に等しい半径Ｒ１より大きい値に保持される。また、外被付き電線１２の突出端に最も近い当接箇所Ｐ２より先端側における外被付き電線１２の曲げ角度は、当接箇所Ｐ１を曲げの支点とする場合よりも低減される。
【００４３】
複数の薄肉結合部２７ａ、２７ｂ、２７ｅ、２７ｆの軸方向長さおよび曲げ剛性は、このような湾曲ガイド部２８の機能が得られるように設定されている。
【００４４】
具体的には、図３（ａ）に示すように、複数の分割壁部２６ａ、２６ｂ、２６ｅ、２６ｆおよび主筒状部２５に対して薄肉結合部２７ａ、２７ｂ、２７ｅ、２７ｆが溝状の凹面形状をなす内外両面側の凹部２７ｃ、２７ｄは、電線長さ方向における幅ｗ１、ｗ２が主筒状部２５の壁厚Ｔ１より大きい幅、例えば壁厚Ｔ１の２倍の幅に設定されている。
【００４５】
また、内外両面側の凹部２７ｃ、２７ｄは、主筒状部２５の内壁面２５ａ側および外壁面２５ｂ側（プロテクタ２０の内面側および外面側）のうちいずれか一方側、例えば内壁面２５ａ側の凹部２７ｃの深さｄ１が大きく、内壁面２５ａ側および外壁面２５ｂ側のうちいずれか他方側、例えば外壁面２５ｂ側の凹部２７ｄの深さｄ２が小さくなっている。勿論、内外両面側の凹部の深さｄ１、ｄ２は、同一であってもよい。
【００４６】
さらに、薄肉結合部２７ａ、２７ｂ、２７ｅ、２７ｆの厚さｈは、複数の分割壁部２６ａ、２６ｂ、２６ｅ、２６ｆおよび主筒状部２５に近い両端側で、各分割壁部２６ａ、２６ｂ、２６ｅ、２６ｆおよび主筒状部２５に近づくほど大きくなっており、各分割壁部２６ａ、２６ｂ、２６ｅ、２６ｆおよび主筒状部２５から離れる中央側では壁厚Ｔ１より十分に小さい一定幅値になっている。
【００４７】
複数の分割壁部２６ａ、２６ｂ、２６ｅ、２６ｆは、それぞれの放射外方側への回動変位を相互に規制するよう、開口端側で相互に結合可能な結合部分２９を有している。
【００４８】
結合部分２９は、例えば複数の分割壁部２６ａ、２６ｂ、２６ｅ、２６ｆのうち対向する一対の分割壁部２６ｅ、２６ｆに装着されている。この結合部分２９は、底壁側の分割壁部２６ｅに一体に形成された一対のロック爪２９ａ、２９ｂと、これら一対のロック爪２９ａ、２９ｂに係止できるよう蓋部２３側の分割壁部２６ｆに一体に形成された一対のロック受け部２９ｃ、２９ｄとで構成されている。なお、一対のロック爪２９ａ、２９ｂは、底壁側の分割壁部２６ｅに対して回動可能にヒンジ結合されてもよい。
【００４９】
そして、一対のロック爪２９ａ、２９ｂおよび一対のロック受け部２９ｃ、２９ｄを介して複数の分割壁部２６ｅ、２６ｆが相互に結合されたとき、これら一対の分割壁部分割壁部２６ｅ、２６ｆ以外の他の分割壁部２６ａ、２６ｂの放射外方側への回動変位が、一対の分割壁部２６ｅ、２６の結合部分２９によって規制されるようになっている。
【００５０】
結合部分２９による複数の分割壁部２６ａ、２６ｂ、２６ｅ、２６ｆの結合方式は、このようなロック方式に限定されるものではないことはいうまでもない。
【００５１】
次に、作用について説明する。
【００５２】
上述のように構成された本実施形態のワイヤハーネス１においては、プロテクタ２０に挿通した外装チューブ１５付きの外被付き電線１２に曲げ角度の大きな曲げが加えられたとしても、プロテクタ２０の開口端部２６側に形成された湾曲ガイド部２８によって外被付き電線１２の曲げ内側面１２ｓが主筒状部２５の厚さＴ１以上の曲率半径Ｒｗに案内される。したがって、ワイヤハーネス１の外被付き電線１２が曲げの支点付近にて小曲率半径で折れ曲がってしまうことが確実に防止される。
【００５３】
また、プロテクタ２０の開口端部２６に湾曲ガイド部２８を形成しながらも、従来の曲率半径の大きい干渉吸収部を延長する場合に比べ、プロテクタ２０が電線長さ方向および電線径方向のそれぞれで大きくなることがなく、その小型化や扁平化が容易化される。
【００５４】
さらに、本実施形態では、湾曲ガイド部２８における薄肉結合部２７ａ、２７ｂ、２７ｅ、２７ｆの内外両面側で、主筒状部２５の内壁面２５ａ側の凹部２７ｃの深さｄ１が大きく、外壁面２５ｂ側の凹部２７ｄの深さｄ２が小さくなっている。したがって、図３（ａ）に示すように、曲げ角度が大きくなるときの当接箇所Ｐ１、Ｐ２の間隔を大きくすることができ、曲率半径Ｒｗを大きくすることができる。
【００５５】
また、複数の分割壁部２６ａ、２６ｂ、２６ｅ、２６ｆが、放射外方側への回動変位を規制するよう開口端側で相互に結合可能な結合部分２９を有しているので、ワイヤハーネス１の輸送時には図５に典型例で示すように結合部分２９のロックを非ロック状態（解除状態）にしておき、車両への実装時には結合部分２９をロック状態にして所要のプロテクタ機能を発揮させることができる。
【００５６】
さらに、本実施形態では、一対の分割壁部２６ｅ、２６ｆの放射外方側への回動変位が結合部分２９によって規制されるとき、他の分割壁部２６ａ、２６ｂの放射外方側への回動変位が結合部分２９によって規制されるので、他の分割壁部２６ａ、２６ｂにロック機構等を設けずに済み、プロテクタ２０の構造を簡素化できる。
【００５７】
このように、本実施形態においては、プロテクタ２０に対する外被付き電線１２の曲げ角度が大きくなっても、プロテクタ２０の開口端部２６の近傍で外被付き電線１２に小曲率半径の急な曲げが発生するのを確実に防止できるプロテクタ付きのワイヤハーネス１を提供することができる。
【００５８】
（第２の実施の形態）
図６および図７は、本発明の第２の実施の形態に係るプロテクタ付きのワイヤハーネスを示している。なお、本実施形態のワイヤハーネスは、プロテクタ２０の湾曲ガイド部の構成を変更している以外は、第１の実施の形態と同様のものであるので、以下、第１の実施の形態と相違する点のみ詳述する。
【００５９】
図６（ａ）および図６（ｂ）に示すように、本実施形態は、プロテクタ２０の湾曲ガイド部３８における薄肉結合部３７ａ、３７ｂ、３７ｅ、３７ｆの配置が、電線径方向の内側に偏倚している点で、対応する配置が電線径方向の外側に偏倚していた第１の実施の形態とは相違している。
【００６０】
すなわち、各薄肉結合部３７ａ、３７ｂ、３７ｅ、３７ｆのいずれか、例えば薄肉結合部３７ｆの内外両面側で、主筒状部２５の内壁面２５ａ側に位置する凹部３７ｃの深さｄ３が小さく、外壁面２５ｂ側に位置する凹部３７ｄの深さｄ４が大きくなっている。
【００６１】
また、凹部３７ｃ、３７ｄは、電線長さ方向における幅ｗ３、ｗ４が主筒状部２５の壁厚Ｔ１の２倍程度の幅に設定されている。
【００６２】
このような薄肉結合部３７ａ、３７ｂ、３７ｅ、３７ｆおよび凹部３７ｃ、３７ｄを有する湾曲ガイド部３８においては、一方の開口端部２６から突出する外被付き電線１２に主筒状部２５の放射外方側への曲げ方向に外力が加わり、その外被付き電線１２の曲げ角度が増加するとき、外被付き電線１２の曲げ内側面１２ｓの当接点が、比較的曲げ角度が小さい段階から当接箇所Ｐ１およびＰ２の二箇所（複数箇所）となる。また、各薄肉結合部３７ａ、３７ｂ、３７ｅ、３７ｆは、外被付き電線１２に当接して図６（ｂ）に示すように湾曲するとき、電線長さ方向の軸力を十分に発揮できるとともに、曲率半径を増加させる方向に弾性変形し得る形状をなしている。
【００６３】
具体的には、例えば外被付き電線１２に主筒状部２５の放射外方側への曲げ方向に外力が加わり、外被付き電線１２の曲げ角度が増加するとき、図６（ｂ）に示す９０度未満の第１の曲げ角度θ１では外被付き電線１２の曲率半径が十分に大きく、かつ、外被付き電線１２の曲げ内側面１２ｓの当接箇所は、第１の当接箇所Ｐ１および薄肉結合部３７ｆ上の第２の当接箇所Ｐ２の二箇所となる。
【００６４】
外被付き電線１２の曲げ角度が図７（ａ）に示す第２の曲げ角度θ２、例えば９０度程度に達するとき、外被付き電線１２の曲率半径がまだ大きければ、外被付き電線１２の曲げの支点となる当接箇所は、第１の当接箇所Ｐ１から第２の当接箇所Ｐ２に移動する。このとき、第１の当接箇所Ｐ１および第２の当接箇所Ｐ２の間における外被付き電線１２の曲率半径Ｒｗは、主筒状部２５の壁厚Ｔ１に等しい半径Ｒ１より大きい値に保持される。また、外被付き電線１２の突出端に最も近い当接箇所Ｐ２またはＰ３より先端側での外被付き電線１２の曲げ角度は、当接箇所Ｐ１を曲げの支点とする場合よりも低減される。
【００６５】
外被付き電線１２の曲げ角度が第２の曲げ角度θ２より大きい第３の曲げ角度θ３、例えば図７（ｂ）に示すように１２０度程度の第３の曲げ角度に達するときには、同図中に二点鎖線で示すように外被付き電線１２の曲率半径がまだ大きければ、外被付き電線１２の曲げの支点となる当接箇所は、第２の当接箇所Ｐ２のままである。
【００６６】
一方、同図中に実線で示すように、外被付き電線１２の曲率半径が小さくなってくる場合、湾曲しているいずれかの薄肉結合部、例えば薄肉結合部３７ｆの両端側で分割壁部２６ｆおよび主筒状部２５が近接していた角部２５ｒ、２６ｒで互いに当接し、薄肉結合部３７ｆの曲率半径が所定値以上に確保されるとともに、外被付き電線１２の当接箇所が第１の当接箇所Ｐ１、第２の当接箇所Ｐ２および第３の当接箇所Ｐ３に増加する。
【００６７】
このとき、第１の当接箇所Ｐ１から第３の当接箇所Ｐ３までの間における外被付き電線１２の曲率半径Ｒｗは、主筒状部２５の壁厚Ｔ１に等しい半径Ｒ１より大きい値に保持される。また、外被付き電線１２の突出端に最も近い当接箇所Ｐ３より先端側における外被付き電線１２の曲げ角度は、当接箇所Ｐ１を曲げの支点とする場合よりも低減される。
【００６８】
本実施形態においても、プロテクタ２０に対する外被付き電線１２の曲げ角度が大きくなっても、開口端部２６の近傍で外被付き電線１２に小曲率半径の急な曲げが発生するのを確実に防止できるプロテクタ付きのワイヤハーネス１を提供することができる。
【００６９】
（第３の実施の形態）
図８は、本発明の第３の実施の形態に係るプロテクタ付きのワイヤハーネスの要部を示している。なお、本実施形態のワイヤハーネスは、プロテクタ２０における複数の分割壁部の結合部分の構成を変更している以外は、第１の実施の形態と同様のものである。
【００７０】
図８に示すように、本実施形態においては、プロテクタ２０の複数の分割壁部２６ａ、２６ｂ、２６ｅ、２６ｆに、それぞれの放射外方側への回動変位を相互に規制するよう、開口端側で相互に結合可能な結合部分３９が装着されている。
【００７１】
この結合部分３９は、例えば複数の分割壁部２６ａ、２６ｂ、２６ｅ、２６ｆのうち対向する一対の分割壁部２６ｅ、２６ｆに装着されている。
【００７２】
具体的には、結合部分３９は、蓋部２３側の分割壁部２６ｆに一体に形成された一対のロック爪３９ａ、３９ｂと、これら一対のロック爪３９ａ、３９ｂに係止できるよう底壁側の分割壁部２６ｅに一体に形成された一対のロック受け部３９ｃ、３９ｄとで構成されている。そして、一対のロック爪３９ａ、３９ｂおよび一対のロック受け部３９ｃ、３９ｄを介して複数の分割壁部２６ｅ、２６ｆが相互に結合されたとき、一対の分割壁部分割壁部２６ｅ、２６ｆ以外の他の分割壁部２６ａ、２６ｂの放射外方側への回動変位が、一対の分割壁部２６ｅ、２６ｆの結合部分３９によって規制されるようになっている。
【００７３】
本実施形態においても、第１の実施の形態と同様な効果が得られる。
【００７４】
なお、上述の各実施の形態では、プロテクタが、それぞれ矩形横断面を有するものとしたが、横断面が多角形でなく、丸められた樋形状であってもよい。また、開口端部は、軸方向の端部としていたが、屈曲形状や湾曲形状の途中に開口部が形成された開口端部であってもよい。結合部分２９、３９は、複数の分割壁部２６ａ、２６ｂ、２６ｅ、２６ｆを結束するバンドその他の別部品として構成されてもよく、開口端部２６の外周側に結束用の別部品に対応する溝を有していてもよい。
【００７５】
以上説明したように、本発明は、プロテクタに対する電線の曲げ角度が大きくなっても、プロテクタの端部近傍で電線に小曲率半径の急な曲げが発生するのを確実に防止できるプロテクタ付きのワイヤハーネスを提供することができるものであり、プロテクタ付きのワイヤハーネス全般に有用である。
【符号の説明】
【００７６】
１  ワイヤハーネス
１２  外被付き電線
１２ｓ  曲げ内側面
２０  プロテクタ
２４  電線挿通孔
２５  主筒状部（プロテクタの本体部）
２６  開口端部（開口端側の筒状壁部）
２６ａ、２６ｂ、２６ｅ、２６ｆ  分割壁部
２７ａ、２７ｂ、２７ｅ、２７ｆ、３７ａ、３７ｂ、３７ｅ、３７ｆ  薄肉結合部
２７ｃ、２７ｄ、３７ｃ、３７ｄ  凹部
２８、３８  湾曲ガイド部
２９、３９  結合部分
２９ａ、２９ｂ、３９ａ、３９ｂ  ロック爪
２９ｃ、２９ｄ、３９ｃ、３９ｄ  ロック受け部
ｄ１、ｄ２、ｄ３、ｄ４  凹部の深さ
Ｐ１  第１の当接箇所
Ｐ２  第２の当接箇所
Ｐ３  第３の当接箇所
Ｒｗ  曲げ内側の曲率半径
Ｔ１  壁厚
ｗ１、ｗ２、ｗ３、ｗ４  凹部の幅
θ１、θ２、θ３  曲げ角度
【図１】
2017077083.tif 000003
【図２】
2017077083.tif 000004
【図３】
2017077083.tif 000005
【図４】
2017077083.tif 000006
【図５】
2017077083.tif 000007
【図６】
2017077083.tif 000008
【図７】
2017077083.tif 000009
【図８】
2017077083.tif 000010